(57)【特許請求の範囲】
【請求項１】
伸縮性を有する伸縮基板上に実現された第１の電子回路を、前記伸縮基板の外部に設けられた第２の電子回路に接続するために、前記伸縮基板上に設けられるコネクタであって、
前記第１の電子回路の配線に接続される複数のパッドが設けられた、パッド支持部材を備え、
当該パッド支持部材は、第１の方向に間隔をおいて複数の切り込みを備え、複数の単位パッド支持部が前記複数の切り込みの各々を境に連接するように構成されている、伸縮基板上に設けられるコネクタ。
【請求項２】
前記パッド支持部材は、前記伸縮基板の端辺に沿って設けられ、前記複数の切り込みは、前記端辺の延在する方向に間隔をおいて設けられている、請求項１に記載の伸縮基板上に設けられるコネクタ。
【請求項３】
前記第２の電子回路においては、前記第１の電子回路に接続される相手側パッドが、前記複数のパッドの配置に対応するように柔軟性を有する相手側基板の端辺に設けられ、
当該相手側基板には、前記複数の切り込みに対応する位置の各々に、前記端辺から前記相手側基板の内部に向けた方向に間隔をおいて複数の切り込みが設けられている、請求項１または２に記載の伸縮基板上に設けられるコネクタ。
【請求項４】
前記相手側基板に設けられた前記複数の切り込みの、前記相手側基板の最も内部側の前記切り込みの端部には、切り抜きが設けられている、請求項３に記載の伸縮基板上に設けられるコネクタ。
【請求項５】
前記パッド支持部材は前記伸縮基板よりも硬質な材料で形成されている、請求項１から４のいずれか一項に記載の伸縮基板上に設けられるコネクタ。
【請求項６】
前記パッド支持部材は、前記単位パッド支持部の各々に、前記伸縮基板に向けて突出する脚部を備え、
当該脚部は前記伸縮基板に埋設されている、請求項１から５のいずれか一項に記載の伸縮基板上に設けられるコネクタ。
【請求項７】
前記パッド支持部材は、前記伸縮基板に対向する表面が、前記伸縮基板の表面に当接されて接着されている、請求項１から５のいずれか一項に記載の伸縮基板上に設けられるコネクタ。
【請求項８】
請求項１から７のいずれか一項に記載の伸縮基板上に設けられる第１のコネクタを備えた伸縮性を有する伸縮表示装置であって、
前記第１の電子回路は、少なくとも前記第１の方向に沿って間隔をあけて配列された複数の表示素子を備え、
前記単位パッド支持部の各々は、前記第１の方向に直交する第２の方向において、前記複数の表示素子の各々に対応して配列されている、伸縮表示装置。
【請求項９】
前記単位パッド支持部の、前記伸縮基板に対向する対向表面の、前記第１の方向における長さは、前記表示素子の、前記第１の方向における長さに合致し、
前記対向表面が前記表示素子の各々に対応して位置するように、前記単位パッド支持部は形成されている、請求項８に記載の伸縮表示装置。
【請求項１０】
前記第１の方向において、前記複数の表示素子は等間隔なピッチで整列して設けられ、
これに伴い前記単位パッド支持部の前記対向表面も等間隔なピッチで整列して設けられている、請求項９に記載の伸縮表示装置。
【請求項１１】
前記複数の表示素子の各々は、１以上のサブピクセルを備え、
前記１以上のサブピクセルの各々に対応する、伸縮性を有する前記配線が、前記複数の表示素子の各々と、対応する前記単位パッド支持部の間に、前記第２の方向に延在して設けられている、請求項８から１０のいずれか一項に記載の伸縮表示装置。
【請求項１２】
請求項１から７のいずれか一項に記載の伸縮基板上に設けられる第２のコネクタを更に備え、
前記複数の表示素子は、前記第２の方向に沿っても間隔をあけて配列されており、
前記第２のコネクタの前記単位パッド支持部の各々は、前記第１の方向において、前記複数の表示素子の各々に対応して位置づけられている、請求項８から１１のいずれか一項に記載の伸縮表示装置。
【発明の詳細な説明】
【技術分野】
【０００１】
本発明は、伸縮基板上に設けられるコネクタ、及び伸縮表示装置に関する。
【背景技術】
【０００２】
近年、ウェアラブル端末が普及しつつある。ウェアラブル端末は、例えば睡眠、歩数、運動量を測定することで健康を管理し、あるいはスマートフォン等と連動して着信を通知する等、様々な目的、用途で使用されている。
ウェアラブル端末としては、特に、直接肌に貼りつける等の手法により、体に直に装着するものにおいては、体の動きに追従するために伸縮性能が要求されることがある。このため、ウェアラブル端末を実現する基板や配線においても、伸縮性が求められている。
特許文献１には、このような伸縮性を有する基板について開示されている。
【０００３】
上記のような伸縮性を有する伸縮基板上に電子回路を実現した場合に、当該電子回路を、伸縮基板の外部に設けられた他の電子回路に接続するために、伸縮基板には、コネクタが設けられることがある。例えば伸縮基板上に表示装置を実現した場合には、ドライバＩＣ等を外部に設け、伸縮基板上の表示装置とドライバＩＣ等を接続することが考えられる。
【先行技術文献】
【特許文献】
【０００４】
【特許文献１】特開２０１６−２１９７８２号公報
【発明の概要】
【発明が解決しようとする課題】
【０００５】
上記のような場合において、伸縮基板の伸縮性を確保するためには、コネクタを、伸縮性を有する材料で形成するか、伸縮基板の伸縮に追従可能な構造とする必要がある。しかし、このようなコネクタにおいては、伸縮基板の伸縮によってコネクタに設けられるパッド間の相対位置が容易に変動する可能性があるため、接続時にパッドの位置を接続先のパッドに合わせて精密に調整し、接合することが容易ではない。特に、上記のように伸縮基板上に表示装置を実現する場合には、パッドの数が膨大となるため、全てのパッドの位置を正確に合わせることは非常に困難である。
【０００６】
本発明が解決しようとする課題は、伸縮基板の伸縮に追従可能で、パッドの精密な位置合わせが可能な、伸縮基板上に設けられるコネクタ、及び伸縮表示装置を提供することである。
【課題を解決するための手段】
【０００７】
本発明は、上記課題を解決するため、以下の手段を採用する。すなわち、本発明は、伸縮性を有する伸縮基板上に実現された第１の電子回路を、前記伸縮基板の外部に設けられた第２の電子回路に接続するために、前記伸縮基板上に設けられるコネクタであって、前記第１の電子回路の配線に接続される複数のパッドが設けられた、パッド支持部材を備え、当該パッド支持部材は、第１の方向に間隔をおいて複数の切り込みを備え、複数の単位パッド支持部が前記複数の切り込みの各々を境に連接するように構成されている、伸縮基板上に設けられるコネクタを提供する。
上記のような構成によれば、伸縮基板上に実現された第１の電子回路の複数のパッドは、パッド支持部材上に設けられているため、第１の電子回路を、コネクタを介して第２の電子回路に接続する際には、パッド間の相対位置は変動しない。したがって、第２の電子回路に設けられた相手側パッドとの位置合わせが容易である。
また、パッド支持部材は、第１の方向に間隔をおいて複数の切り込みを備え、複数の単位パッド支持部が複数の切り込みの各々を境に連接するように構成されている。すなわち、パッド支持部材には、複数の切り込みにより、脆弱な部分が複数の位置に形成されている。このため、伸縮基板が第１の方向に伸長し、その伸長力がパッド支持部材に作用した場合には、パッド支持部材が複数の切り込みの各々において切断されて複数の単位パッド支持部に分離し、単位パッド支持部間が離間し、伸縮基板の伸長に追従することによって、この伸長力が吸収される。
伸縮基板が伸長した状態から収縮する場合には、分離して離間した単位パッド支持部間の距離が短縮することで、この収縮は吸収される。
このように、伸縮基板の伸縮に追従可能で、パッドの精密な位置合わせが可能な、伸縮基板上に設けられるコネクタを実現可能である。
【０００８】
本発明の一態様においては、前記パッド支持部材は、前記伸縮基板の端辺に沿って設けられ、前記複数の切り込みは、前記端辺の延在する方向に間隔をおいて設けられている。
上記のような構成によれば、伸縮基板の端辺に沿ってパッド支持部材を設けた場合においては、パッド支持部材が伸長される方向は概ね、端辺の延在方向となり、この方向が、複数の切り込みが間隔をおいて設けられた方向と一致している。このため、効果的に、伸縮基板の伸縮に追従可能である。
【０００９】
本発明の別の態様においては、前記第２の電子回路においては、前記第１の電子回路に接続される相手側パッドが、前記複数のパッドの配置に対応するように柔軟性を有する相手側基板の端辺に設けられ、当該相手側基板には、前記複数の切り込みに対応する位置の各々に、前記端辺から前記相手側基板の内部に向けた方向に間隔をおいて複数の切り込みが設けられている。
上記のような構成によれば、伸縮基板に生じた伸長力は、パッド支持部材を介して、パッド支持部材に接続された相手側基板へと更に作用する。すなわち、伸縮基板が伸長し、伸縮基板上のパッド支持部材が複数の切り込みの各々において分離することで、相手側基板の、相手側パッドが設けられた端辺にも、端辺の延在する方向に伸長力が作用する。
ここで、パッド支持部材の切り込みに対応する位置に、相手側基板の端辺から内部に向けた方向に間隔をおいて複数の切り込みが設けられている。このため、相手側基板の端辺に伸長力が作用し、柔軟性を有する相手側基板の、これら複数の切り込みを挟んだ双方の側に、互いに離れる方向へ向かう力が作用すると、複数の切り込みの各々の間に位置する部分が、複数の切り込みが互いに連続するように裂けて、相手側基板が、連続した切り込みを挟んだ複数の部分へと開裂する。
これにより、パッド支持部材に接続される、第２の電子回路の相手側パッドが設けられた相手側基板が、伸縮基板の伸縮に追従可能である。
【００１０】
本発明の別の態様においては、前記相手側基板に設けられた前記複数の切り込みの、前記相手側基板の最も内部側の前記切り込みの端部には、切り抜きが設けられている。
上記のような構成によれば、相手側基板が、連続した切り込みを挟んだ複数の部分へと開裂したとしても、この開裂の更なる内部への進行は、相手側基板の最も内部側の切り込みの端部に設けられた切り抜きにより抑止される。したがって、相手側基板が必要以上に深く開裂することを抑制可能である。
【００１１】
本発明の別の態様においては、前記パッド支持部材は前記伸縮基板よりも硬質な材料で形成されている。
上記のような構成によれば、上記のようなコネクタを好適に実現可能である。
【００１２】
本発明の別の態様においては、前記パッド支持部材は、前記単位パッド支持部の各々に、前記伸縮基板に向けて突出する脚部を備え、当該脚部は前記伸縮基板に埋設されている。
上記のような構成によれば、パッド支持部材を伸縮基板に強固に固定可能である。
【００１３】
本発明の別の態様においては、前記パッド支持部材は、前記伸縮基板に対向する表面が、前記伸縮基板の表面に当接されて接着されている。
上記のような構成によれば、上記のようなコネクタを好適に実現可能である。
【００１４】
また、本発明は、上記のような伸縮基板上に設けられる第１のコネクタを備えた伸縮性を有する伸縮表示装置であって、前記第１の電子回路は、少なくとも前記第１の方向に沿って間隔をあけて配列された複数の表示素子を備え、前記単位パッド支持部の各々は、前記第１の方向に直交する第２の方向において、前記複数の表示素子の各々に対応して配列されている、伸縮表示装置を提供する。
伸縮基板上に複数の表示素子が設けられた伸縮表示装置においては、伸縮基板が伸長した際に、表示素子や単位パッド支持部が接合された部分の近傍は伸長しにくく、表示素子や単位パッド支持部の間の部分が伸長する。
ここで、上記のような構成によれば、複数の単位パッド支持部が、第１の方向に直交する第２の方向において、表示素子に対応するように配列されている。このため、伸縮基板が第１の方向に伸長して、ある表示素子と隣接する表示素子の間の特定の部分が伸長した際には、これに対応する単位パッド支持部と隣接する単位パッド支持部の間の、上記特定の部分に対応する部分が、上記伸長に対応して伸長しやすい構造となっている。このように、伸縮基板に第１の方向に伸長力が作用した際に、第１の方向に直交する第２の方向で伸長しやすい構造の領域が対応付けられて設けられているため、伸縮基板が第１の方向に伸縮した際の局所的な応力集中を抑制し、伸縮基板を略均等に伸縮させることが可能となる。
【００１５】
本発明の別の態様においては、前記単位パッド支持部の、前記伸縮基板に対向する対向表面の、前記第１の方向における長さは、前記表示素子の、前記第１の方向における長さに合致し、前記対向表面が前記表示素子の各々に対応して位置するように、前記単位パッド支持部は形成されている。
上記のような構成によれば、伸縮基板が第１の方向に伸長した際に、パッド支持部材が設けられた領域においては、伸縮基板に対向した表面が伸縮基板に接合されるため、この対向表面の部分は、第１の方向に伸長しにくく、したがって、隣接する単位パッド支持部の対向表面の間に位置する部分が伸長する。ここで、第１の方向における対向表面の長さは、表示素子の第１の方向における長さに合致しているため、表示素子が配列して設けられた領域とパッド支持部材が設けられた領域の各々における、伸長しやすい部分と伸長しにくい部分との比率が同等となり、これらが互いに対応付けられて設けられている。したがって、伸縮基板が第１の方向に伸縮した際の局所的な応力集中を、より効果的に抑制し、伸縮基板を略均等に伸縮させることが可能となる。
【００１６】
本発明の別の態様においては、前記第１の方向において、前記複数の表示素子は等間隔なピッチで整列して設けられ、これに伴い前記単位パッド支持部の前記対向表面も等間隔なピッチで整列して設けられている。
上記のような構成によれば、伸縮基板が伸縮した際の局所的な応力集中を、より効果的に抑制し、伸縮基板を略均等に伸縮させることが可能となる。
【００１７】
本発明の別の態様においては、前記複数の表示素子の各々は、１以上のサブピクセルを備え、前記１以上のサブピクセルの各々に対応する、伸縮性を有する前記配線が、前記複数の表示素子の各々と、対応する前記単位パッド支持部の間に、前記第２の方向に延在して設けられている。
上記のような構成によれば、１以上のサブピクセルの各々に対応する、伸縮性を有する配線が、表示素子と、これに対応する単位パッド支持部の間に、第２の方向に延在して設けられている。この、配線が設けられた部分は、伸縮基板が第１の方向に延在した際において伸縮しにくい部分である、第２の方向において表示素子とこれに対応する単位パッド支持部の間に挟まれた領域である。このため、配線には、伸縮基板の第１の方向の伸縮により生じる応力が作用されにくく、したがって、伸縮基板の伸縮による配線への影響を低減可能である。
【００１８】
本発明の別の態様においては、伸縮表示装置は、上記のような第２のコネクタを更に備え、前記複数の表示素子は、前記第２の方向に沿っても間隔をあけて配列されており、前記第２のコネクタの前記単位パッド支持部の各々は、前記第１の方向において、前記複数の表示素子の各々に対応して位置づけられている。
上記のような構成によれば、第１の方向と第２の方向から形成される平面内において、伸縮基板の伸縮に追従可能で、パッドの精密な位置合わせが可能な、伸縮表示装置を実現可能である。
【発明の効果】
【００１９】
本発明によれば、伸縮基板の伸縮に追従可能で、パッドの精密な位置合わせが可能な、伸縮基板上に設けられるコネクタ、及び伸縮表示装置を提供することができる。
【図面の簡単な説明】
【００２０】
【図１】本発明の実施形態における伸縮表示装置の、（ａ）は模式的な平面図、（ｂ）はＡ矢視部分の拡大図である。
【図２】アクティブマトリクス方式の上記伸縮表示装置の回路構成を示す説明図である。
【図３】パッシブマトリクス方式の上記伸縮表示装置を構成する表示素子の、（ａ）平面図、（ｂ）は図中Ｙ方向から視た際の側面図、及び（ｃ）は図中Ｘ方向から視た際の側面図である。
【図４】アクティブマトリクス方式の上記伸縮表示装置を構成する表示素子の構成を示す模式的な側面図である。
【図５】上記伸縮表示装置の、コネクタの斜視図である。
【図６】（ａ）は図５のＢ−Ｂ部分の断面図であり、（ｂ）は上記コネクタの側面図である。
【図７】上記コネクタのパッド支持部材と、これに接続される相手側基板の斜視図である。
【図８】上記表示素子と、上記コネクタを構成する単位パッド支持部との対応を示す平面図である。
【図９】上記伸縮表示装置が伸長した状態における上記コネクタの平面図である。
【図１０】上記コネクタの変形例を示す側面図である。
【図１１】上記コネクタの変形例を示す平面図である。
【図１２】上記コネクタの変形例を示す斜視図である。
【図１３】上記実施形態として示したコネクタの別の形態を示す斜視図である。
【図１４】上記実施形態として示したコネクタの別の形態を示す斜視図である。
【発明を実施するための形態】
【００２１】
以下、本発明の実施形態について図面を参照して詳細に説明する。
図１（ａ）は、本発明の実施形態におけるコネクタを用いた伸縮表示装置の模式的な平面図、図１（ｂ）は図１（ａ）のＡ矢視部分の、後に説明する相手側基板２３が設けられていない状態における拡大図である。
本実施形態におけるコネクタは、伸縮基板上に実現された第１の電子回路を、伸縮基板の外部に設けられた第２の電子回路に接続するために用いられる。特に本実施形態においては、伸縮基板及びこの上に実現された第１の電子回路は、伸縮性を有する表示装置１である。
【００２２】
伸縮表示装置１は、第１の電子回路３として、伸縮性を有する伸縮基板２上に実現されている。伸縮基板２は、第１の方向Ｘとこれに直交する第２の方向Ｙにより形成される平面内に収まるように、平板状に、かつ矩形形状に形成されている。伸縮基板２は、例えばエラストマー等の、伸縮性を備える絶縁体により形成されている。より具体的には、熱硬化性ポリウレタン、熱可塑性ポリウレタン、シリコーン、ポリ塩化ビニル、天然ゴム、および、エチレンプロピレンゴムなどの各種合成ゴムなどが適用可能である。また、可視光線に対して少なくとも部分的に透明であることがより好ましく、熱硬化性ポリウレタン、熱可塑性ポリウレタン、シリコーン、および、ポリ塩化ビニルが例示できる。
伸縮表示装置１は、表示素子４と配線５を備えている。表示素子４と配線５は、伸縮基板２内に埋設されている。
【００２３】
表示素子４は、ＬＥＤ、ＯＬＥＤ、電子線や光によって励起される蛍光体を利用した素子等の発光素子、液晶素子やＭＥＭＳシャッターなどを利用した透過型光制御素子、並びに例えば電子ペーパーに用いられる各種の反射型光制御素子のいずれか若しくはこれらの組み合わせである。上記の中でも例えばＬＥＤが発光素子として好適であり、本実施形態においては、発光素子はＬＥＤである。ＬＥＤは、各々の画素に１以上の発光部を有している。ＬＥＤの寸法は特に限定されないが、発光面の一辺の長さは、精細度の点から上限は１０ｍｍ以下であり、製造の容易さと出力の点から１０μｍ以上であるのが望ましい。またＬＥＤはパッケージ化されていてもよいが、されていなくても良く、反射材を備えていても良いが、備えていなくてもよい。表示素子４は、１つの発光素子に対し、複数のダイを備えることで多色化を実現していても良いし、１つの発光素子当たりのダイは１つであってもよい。表示素子の多色化を実現する方法として、複数種のダイを備えていてもよいし、単一色のダイに対して複数種の蛍光体と組み合わせてもよく、白色発光素子とカラーフィルターを組み合わせても良い。
表示素子４は、第１の方向Ｘと第２の方向Ｙの各々に沿って、各方向において略同等のピッチで、互いに間隔をあけて配列されている。
表示素子４は、１以上の、本実施形態においては例えば３個の、第１サブピクセル１１、第２サブピクセル１２、及び第３サブピクセル１３を備えている。第１〜第３サブピクセル１１、１２、１３は、それぞれ、例えば赤色、緑色、及び青色の各々に対応して発光するように形成されている。
【００２４】
配線５は、一の方向に延びる軸線の周りに、螺旋状に巻回されて形成されている。配線５は、配線５の螺旋が軸線の周りを一周するときの軸線方向における長さ、すなわちピッチ長が一定となるように形成されている。これにより、配線５は、軸線方向に伸縮基板２が伸縮された際に、これに追従して伸縮する。
配線５の材料は、例えば、銅、金、銀、アルミニウム、チタン、モリブデン、タングステン、ニッケル、鉄、及びこれらの合金のいずれかであるが、導電性の高い物質であればこれに限られない。また、これらの物質の積層体でもよい。
【００２５】
配線５は、第１配線５ａと第２配線５ｂを備えている。第１配線５ａは、第１の方向Ｘに延び、第１の方向Ｘに隣接する表示素子４間を接続するように設けられている。第２配線５ｂは、第２の方向Ｙに延び、第２の方向Ｙに隣接する表示素子４間を接続するように設けられている。第２の方向Ｙに隣接する表示素子４間には、表示素子４内のサブピクセル数に応じた数の、例えば本実施形態においては３本の、第２配線５ｂが接続して設けられている。
このように、第１配線５ａと第２配線５ｂは、伸縮基板２内に格子状に設けられている。
【００２６】
図２は、アクティブマトリクス方式の伸縮表示装置１として実現される第１の電子回路３の回路構成を示す説明図である。図３（ａ）は、伸縮表示装置１がパッシブマトリクス方式である場合の表示素子４の平面図、図３（ｂ）は、表示素子４を第２の方向Ｙから、特に図３（ａ）における紙面下方向から視た際の側面図、及び、図３（ｃ）は、表示素子４を第１の方向Ｘから、特に図３（ａ）における紙面右方向から視た際の側面図である。図４は、伸縮表示装置１がアクティブマトリクス方式である場合の表示素子４の構成を示す模式的な側面図である。
図３に示される表示素子４は、パッシブマトリクス方式の伸縮表示装置１において使用されるものであり、トランジスタを含まない構成となっている。この場合においては、第１配線５ａは走査線に相当し、第２配線５ｂはデータ線に相当する。各配線５ａ、５ｂは、対応する電極１６に接続され、電極１６は各第１〜第３サブピクセル１１、１２、１３に接続されている。
図４に示される表示素子４は、アクティブマトリクス方式の伸縮表示装置１において使用されるものであり、トランジスタ１４を含む構成となっている。この場合においては、第１配線５ａはゲート線に相当し、第２配線５ｂはソース線に相当する。
より詳細には、各表示素子４は、各第１〜第３サブピクセル１１、１２、１３に対応したトランジスタ１４を備えている。各トランジスタ１４のソース４ａには、対応する電極１６を介し、第１〜第３サブピクセル１１、１２、１３の各々に対応した第２配線５ｂが接続されている。各トランジスタ１４のゲート４ｂには、第１配線５ａが接続されている。各トランジスタ１４のドレイン４ｃは、各第１〜第３サブピクセル１１、１２、１３に接続されている。
なお、アクティブマトリクス方式において各第１〜第３サブピクセル１１、１２、１３に接続されるコモン電極は、図４においては省略している。
【００２７】
本実施形態における伸縮表示装置１は、アクティブマトリクス方式、パッシブマトリクス方式のいずれであっても構わない。これらのいずれの場合においても、第１配線５ａを順次オンにし、このときの表示のレベルに対応した電圧が第２配線５ｂに供給されると、各第１〜第３サブピクセル１１、１２、１３に当該電圧が伝達されることにより、伸縮表示装置１に画像が表示される。
【００２８】
上記のような伸縮表示装置１は、伸縮基板２の外部に設けられた、ドライバＩＣ等の第２の電子回路に接続される。この接続のために、伸縮表示装置１は、伸縮基板２上に、第１コネクタ２０と第２コネクタ３０を備えている。
図５は、第１コネクタ２０の斜視図である。図６（ａ）は図５のＢ−Ｂ部分の断面図であり、図６（ｂ）は第１コネクタ２０の側面図である。図７は、第１コネクタ２０のパッド支持部材２１と、これに接続される相手側基板の斜視図である。
【００２９】
第１コネクタ２０は、パッド支持部材２１を備えている。パッド支持部材２１は、伸縮基板２よりも硬質な、樹脂などの材料で形成された、断面形状が略矩形状の、長尺の部材である。伸縮基板２を形成する樹脂としては、例えば、ポリイミド、ポリアミド、ポリアミドイミド、ポリサルホン、ポリエーテルサルホン、ポリエチレンテレフタラート、ポリエチレンナフタラートなどを用いることができるが、これに限られない。第１コネクタ２０のパッド支持部材２１は、伸縮基板２の、第１の方向Ｘに延在する第１端辺（端辺）２ｂに沿って設けられている。
パッド支持部材２１は、本体２１ｂと、下側に設けられた脚部２１ｃを備えている。パッド支持部材２１は、脚部２１ｃが伸縮基板２内に埋設されることで、伸縮基板２に固定されている。伸縮基板２内を第２の方向Ｙに延びる、第１〜第３サブピクセルの各々に対応する第２配線５ｂの各々は、図６（ａ）に示されるように、この伸縮基板２に埋設された脚部２１ｃからパッド支持部材２１内を上方に向けて延伸し、本体２１ｂの上面２１ａに、上方に露出するように設けられたパッド６に接続されている。
このように、パッド支持部材２１には、第１の電子回路３の配線５に接続される複数のパッド６が設けられている。
【００３０】
パッド支持部材２１の本体２１ｂは、第１の方向Ｘ、すなわち長さ方向に間隔をおいて複数の切り込み２１ｄを備えている。複数の切り込み２１ｄの各々は、パッド支持部材２１の本体２１ｂの下面２１ｆから、パッド支持部材２１の内部に、すなわち上方に向けて設けられている。各切り込み２１ｄは、第２の方向Ｙから視たときに、第１の方向Ｘにおける離間した位置から、上方に向かうにつれて漸次この離間した距離が縮まるように設けられている。より詳細には、切り込み２１ｄの上端である最奥部２１ｇにおいて互いに接続する２つの傾斜面２１ｅにより、本体２１ｂが下側から三角形状に切り欠かれるように、切り込み２１ｄは形成されている。
切り込み２１ｄは、平面視したときに、第１の方向Ｘに略直交する方向に、すなわち第２の方向Ｙに沿って、延在して設けられている。
【００３１】
このように複数の切り込み２１ｄが第１の方向Ｘに間隔をあけて形成されることにより、パッド支持部材２１は、隣り合う２つの切り込み２１ｄの間の部分として構成された単位パッド支持部２２が、第１の方向Ｘに複数連接するように構成されている。
上記のように、パッド支持部材２１が伸縮基板２の第１端辺２ｂに沿って設けられた結果、複数の切り込み２１ｄは、第１端辺２ｂの延在する方向に間隔をおいて設けられている。
【００３２】
パッド支持部材２１の脚部２１ｃは、各単位パッド支持部２２の本体２１ｂの下側に、本体２１ｂの下面２１ｆが、本体２１ｂとは逆方向すなわち下方の伸縮基板２に向けて突出するように、略直方体状に形成されて設けられている。
本実施形態においては、パッド支持部材２１は、脚部２１ｃが伸縮基板２内に埋設され、本体２１ｂの下面２１ｆよりも上側が伸縮基板２の上面２ａより上方に位置づけられて伸縮基板２から露出するように設けられている。
【００３３】
上記のように、隣り合う切り込み２１ｄの間に形成された単位パッド支持部２２の各々は、第２の方向Ｙにおいて、表示素子４の各々の列に対応するように、配列されて設けられている。すなわち、単位パッド支持部２２の各々は、表示素子４の対応する列が設けられた、第１の方向Ｘにおける表示素子４の中心位置と、第１の方向Ｘにおける単位パッド支持部２２の中心位置とが略同等となるように設けられている。このため、各単位パッド支持部２２には、対応する列の表示素子４に接続された３本の第２配線５ｂが接続され、結果として各単位パッド支持部２２の上面には３つのパッド６が設けられている。
また、単位パッド支持部２２の、伸縮基板２に対向する、脚部２１ｃの下面（対向表面）２１ｈや、下面２１ｈと同形状に形成されている本体２１ｂの下面２１ｆの、第１の方向Ｘにおける長さＬ１は、表示素子４の、第１の方向Ｘにおける長さＬ２に合致するように、単位パッド支持部２２は形成されている。
【００３４】
このように形成された単位パッド支持部２２は、特にその対向表面２１ｈが表示素子４に対応して位置するように、単位パッド支持部２２は形成されている。より詳細には、表示素子４の第１の方向Ｘに延びる端辺４ｄと、下面２１ｆまたは対向表面２１ｈの第１の方向Ｘ方向に延びる端辺２１ｉが、第１の方向Ｘにおいて略同等の位置となるように、単位パッド支持部２２は設けられている。これにより、端辺４ｄと端辺２１ｉ、及びこれら端辺４ｄと端辺２１ｉの各端点を第２の方向Ｙに結ぶ２つの辺により形成される領域Ｒが、略矩形状になるように、単位パッド支持部２２は形成されている。
各単位パッド支持部２２と表示素子４間に接続される、各第１〜第３サブピクセル１１、１２、１３の各々に対応する３本の第２配線５ｂは、第２の方向Ｙに延在するように、かつ領域Ｒ内に位置するように設けられている。
【００３５】
図８は、上記のような、表示素子４と、第１コネクタ２０を構成する単位パッド支持部２２との対応を示す平面図である。
図８に示されるように、第１の方向Ｘにおいて、複数の表示素子４は等間隔なピッチで整列して設けられている。これに伴い、単位パッド支持部２２の脚部２１ｃすなわち下面２１ｆ、対向表面２１ｈも、等間隔なピッチで整列して設けられている。
このように表示素子４と単位パッド支持部２２が配列されることにより、伸縮表示装置１は、表示素子４と単位パッド支持部２２の脚部２１ｃが第２の方向Ｙ方向に整列して設けられた領域Ｓと、第２の方向Ｙのどの位置にも表示素子４や単位パッド支持部２２の脚部２１ｃが設けられていない領域Ｆが、第１の方向Ｘに交互に設けられている。
領域Ｓは、伸縮表示装置１が第１の方向Ｘに伸縮しようとしたときに、この伸縮に追従しにくい伸縮非追従領域Ｓである。これに対し、領域Ｆは、伸縮表示装置１の第１の方向Ｘの伸縮に容易に追従する、伸縮追従領域Ｆである。上記の、第２配線５ｂが設けられた領域Ｒは、伸縮非追従領域Ｓに設けられている。
【００３６】
上記のようなパッド支持部材２１に設けられたパッドに対し、図示されない第２の電子回路が接続されている。本実施形態の第１コネクタ２０では、第２の電子回路においては、第１の電子回路３に接続される相手側パッドが、複数のパッド６の配置に対応するように、図１、図７等に示される相手側基板２３の端辺２３ａに設けられている。これら各図においては、相手側パッドは相手側基板２３の、パッド支持部材２１の上面２１ａに対向する表面に設けられているため、図示されていない。
相手側基板２３は、柔軟性を有する基板である。本実施形態においては、相手側基板２３は、例えばフレキシブルプリント基板である。相手側基板２３の端辺２３ａは、複数個分の単位パッド支持部２２の長さに相当する長さを備えるように形成されており、複数の単位パッド支持部２２に対して１つの相手側基板２３が対応付けられて設けられている。したがって、全ての単位パッド支持部２２に相手側基板２３を対応付けるために、図１に示されるように、複数の相手側基板２３が設けられている。なお、図１は模式的に描かれた平面図であり相手側基板２３が伸縮基板２に対して比較的大きく描かれているが、実際には伸縮基板２に対して相手側基板２３はより小さく形成され、数もより多く設けられる。
本実施形態においては、相手側基板２３の端辺２３ａは、例えば３つの単位パッド支持部２２の長さに相当するように形成されているが、これに限られず他の数に対応するように形成されていてもよい。
【００３７】
相手側基板２３は、その相手側パッドが設けられた表面がパッド支持部材２１の上面２１ａと、及び各相手側パッドが対応して接続されるパッド６の各々と、それぞれ対向するように設けられて、パッド６と相手側パッドが接続されている。パッド６と相手側パッドは、異方性導電膜や異方性導電フィルム、はんだ等により接続される。
上記のように、相手側基板２３の端辺２３ａは、複数個分の単位パッド支持部２２の長さに相当する長さを備えるように形成されているため、相手側基板２３は、複数の単位パッド支持部２２を跨るように、パッド支持部材２１に接合されている。このような、相手側基板２３の、単位パッド支持部２２を跨る部分、すなわちパッド支持部材２１において複数の切り込み２１ｄに対応する位置の各々には、端辺２３ａから相手側基板２３の内部に向けた方向Ｉに間隔Ｇをおいて、複数の切り込み２３ｄが設けられている。この複数の切り込み２３ｄによって区画されるように、相手側基板２３の端辺２３ａ近傍には、単位パッド支持部２２の各々に対応する、複数の先端枝部２３ｆが形成されている。
相手側基板２３に設けられた複数の切り込み２３ｄの、方向Ｉにおいて相手側基板２３の最も内部側の切り込み２３ｄの端部は、円形に切り抜かれて切り抜き２３ｅが形成されている。
【００３８】
第２コネクタ３０は、図１に示されるように、伸縮基板２の、第２の方向Ｙに延在する第２端辺（端辺）２ｃに沿って設けられている。第２コネクタ３０も、第１コネクタ２０と略同等な構成となっている。すなわち、第２コネクタ３０においても、パッド支持部材は第２端辺２ｃに沿って設けられ、単位パッド支持部の各々は、第１の方向Ｘにおいて、複数の表示素子４の各々に対応して位置づけられる。このように、第１コネクタ２０に関する説明において、第１の方向Ｘと第２の方向Ｙを入れ替えたものがほぼ第２コネクタ３０の説明となるため、詳細な説明を割愛する。
第２コネクタ３０の第１コネクタ２０との相違は、各単位パッド支持部に設けられるパッドの数が１であることである。これは、各表示素子４に対して第１の方向Ｘ方向に延在して設けられるのは第１配線５ａであり、表示素子４の各行に対して第１配線５ａが設けられる数は１本であることに起因する。
【００３９】
次に、図１〜図８、及び図９を用いて、上記の伸縮基板２上に設けられるコネクタ２０、３０、及び伸縮表示装置１の作用を説明する。図９は、伸縮表示装置１が伸長した状態における第１コネクタ２０の平面図である。
伸縮基板２が第１の方向Ｘに伸長し、その伸長力Ｐがパッド支持部材２１に作用した場合には、パッド支持部材２１が、第１の方向Ｘにおいて最も脆弱な部分である複数の切り込み２１ｄの各々において切断されて複数の単位パッド支持部２２に分離し、単位パッド支持部２２間が離間し、伸縮基板２の伸長に追従することによって、この伸長力Ｐが吸収される。
伸縮基板２上のパッド支持部材２１が複数の切り込み２１ｄの各々において分離することで、相手側基板２３の、相手側パッドが設けられた端辺２３ａにも、端辺２３ａの延在する方向Ｘに伸長力Ｐが作用する。
相手側基板２３の端辺２３ａに伸長力Ｐが作用し、相手側基板２３の、これら複数の切り込み２３ｄを挟んだ２つの先端枝部２３ｆに、互いに離れる方向へ向かう力が作用すると、複数の切り込み２３ｄの各々の間に位置する部分が、複数の切り込み２３ｄが互いに連続するように裂けて、２つの先端枝部２３ｆが互いに離間する。
このように２つの先端枝部２３ｆが互いに離間したとしても、この開裂の、相手側基板２３の更なる内部への進行は、切り抜き２３ｅにより抑止される。
【００４０】
次に、上記の伸縮基板２上に設けられるコネクタ２０、３０、及び伸縮表示装置１の効果について説明する。
【００４１】
本実施形態の第１及び第２のコネクタ２０、３０は、伸縮性を有する伸縮基板２上に実現された第１の電子回路３を、伸縮基板２の外部に設けられた第２の電子回路に接続するために、伸縮基板２上に設けられるものであって、第１の電子回路３の配線５に接続される複数のパッド６が設けられた、パッド支持部材２１を備え、パッド支持部材２１は、第１の方向Ｘに間隔をおいて複数の切り込み２１ｄを備え、複数の単位パッド支持部２２が複数の切り込み２１ｄの各々を境に連接するように構成されている。
上記のような構成によれば、伸縮基板２上に実現された第１の電子回路３の複数のパッド６は、パッド支持部材２１上に設けられているため、第１の電子回路３を、コネクタ２０、３０を介して第２の電子回路に接続する際には、パッド６間の相対位置は変動しない。したがって、第２の電子回路に設けられた相手側パッドとの位置合わせが容易である。
また、パッド支持部材２１は、第１の方向Ｘに間隔をおいて複数の切り込み２１ｄを備え、複数の単位パッド支持部２１が複数の切り込み２１ｄの各々を境に連接するように構成されている。すなわち、パッド支持部材２１には、複数の切り込み２１ｄにより、脆弱な部分が複数の位置に形成されている。このため、伸縮基板２が第１の方向Ｘに伸長し、その伸長力Ｐがパッド支持部材２１に作用した場合には、パッド支持部材２１が複数の切り込み２１ｄの各々において切断されて複数の単位パッド支持部２２に分離し、単位パッド支持部２２間が離間し、伸縮基板２の伸長に追従することによって、この伸長力Ｐが吸収される。
伸縮基板２が伸長した状態から収縮する場合には、分離して離間した単位パッド支持部２２間の距離が短縮することで、この収縮は吸収される。
このように、伸縮基板２の伸縮に追従可能で、パッド６の精密な位置合わせが可能な、伸縮基板２上に設けられるコネクタ２０、３０を実現可能である。
【００４２】
また、パッド支持部材２１は、伸縮基板２の端辺２ｂ、２ｃに沿って設けられ、複数の切り込み２１ｄは、端辺２ｂ、２ｃの延在する方向Ｘ、Ｙに間隔をおいて設けられている。
上記のような構成によれば、伸縮基板２の端辺２ｂ、２ｃに沿ってパッド支持部材２１を設けた場合においては、パッド支持部材２１が伸長される方向は概ね、端辺２ｂ、２ｃの延在方向となり、この方向が、複数の切り込み２１ｄが間隔をおいて設けられた方向と一致している。このため、効果的に、伸縮基板２の伸縮に追従可能である。
【００４３】
また、第２の電子回路においては、第１の電子回路３に接続される相手側パッドが、複数のパッド６の配置に対応するように柔軟性を有する相手側基板２３の端辺２３ａに設けられ、相手側基板２３には、複数の切り込み２１ｄに対応する位置の各々に、端辺２３ａから相手側基板２３の内部に向けた方向Ｉに間隔Ｇをおいて複数の切り込み２３ｄが設けられている。
上記のような構成によれば、伸縮基板２に生じた伸長力Ｐは、パッド支持部材２１を介して、パッド支持部材２１に接続された相手側基板２３へと更に作用する。すなわち、伸縮基板２が伸長し、伸縮基板２上のパッド支持部材２１が複数の切り込み２１ｄの各々において分離することで、相手側基板２３の、相手側パッドが設けられた端辺２３ａにも、端辺２３ａの延在する方向に伸長力Ｐが作用する。
ここで、パッド支持部材２１の切り込み２１ｄに対応する位置に、相手側基板２３の端辺２３ａから内部に向けた方向Ｉに間隔Ｇをおいて複数の切り込み２３ｄが設けられている。このため、相手側基板２３の端辺２３ａに伸長力Ｐが作用し、柔軟性を有する相手側基板２３の、これら複数の切り込み２３ｄを挟んだ双方の側２３ｆに、互いに離れる方向へ向かう力が作用すると、複数の切り込み２３ｄの各々の間に位置する部分が、複数の切り込み２３ｄが互いに連続するように裂けて、相手側基板２３が、連続した切り込み２３ｄを挟んだ複数の部分２３ｆへと開裂する。
これにより、パッド支持部材２１に接続される、第２の電子回路の相手側パッドが設けられた相手側基板２３が、伸縮基板２の伸縮に追従可能である。
【００４４】
また、相手側基板２３に設けられた複数の切り込み２３ｄの、相手側基板２３の最も内部側の切り込み２３ｄの端部には、切り抜きが設けられている。
上記のような構成によれば、相手側基板２３が、連続した切り込み２３ｄを挟んだ複数の部分２３ｆへと開裂したとしても、この開裂の更なる内部への進行は、相手側基板２３の最も内部側の切り込み２３ｄの端部に設けられた切り抜き２３ｅにより抑止される。したがって、相手側基板２３が必要以上に深く開裂することを抑制可能である。
【００４５】
また、パッド支持部材２１は伸縮基板２よりも硬質な材料で形成されている。
上記のような構成によれば、上記のようなコネクタ２０、３０を好適に実現可能である。
【００４６】
また、パッド支持部材２１は、単位パッド支持部２２の各々に、伸縮基板２に向けて突出する脚部２１ｃを備え、脚部２１ｃは伸縮基板２に埋設されている。
上記のような構成によれば、パッド支持部材２２を伸縮基板２に強固に固定可能である。
特に本実施形態においては、単位パッド支持部２２に脚部２１ｃを設けることで、長さ方向における単位パッド支持部２２の長さと独立して、脚部２１ｃの長さ、すなわち単位パッド支持部２２に接合される部分の長さを決定可能である。このため、パッド支持部材２１が設けられた部分における、伸縮基板２の伸縮非追従領域Ｓと伸縮追従領域Ｆの区分け、設計を容易に行うことができる。
【００４７】
また、本実施形態の伸縮表示装置１は、伸縮基板２上に設けられる第１のコネクタ２０を備えた伸縮性を有する伸縮表示装置１であって、第１の電子回路３は、少なくとも第１の方向Ｘに沿って間隔をあけて配列された複数の表示素子４を備え、単位パッド支持部２２の各々は、第１の方向Ｘに直交する第２の方向Ｙにおいて、複数の表示素子４の各々に対応して配列されている。
伸縮基板２上に複数の表示素子４が設けられた伸縮表示装置１においては、伸縮基板２が伸長した際に、表示素子４や単位パッド支持部２２が接合された部分の近傍は伸長しにくく、表示素子４や単位パッド支持部２２の間の部分が伸長する。
ここで、上記のような構成によれば、複数の単位パッド支持部２２が、第１の方向Ｘに直交する第２の方向Ｙにおいて、表示素子４に対応するように配列されている。すなわち、伸縮基板２が第１の方向Ｘに伸長した際に表示素子４が設けられた伸長しない部分と、単位パッド支持部２２が、対応して設けられている。このため、伸縮基板２が第１の方向Ｘに伸長して、図８に示されるような、ある表示素子４Ａと隣接する表示素子４Ｂの間の特定の部分Ｆ１が伸長した際には、これに対応する単位パッド支持部２２Ａと隣接する単位パッド支持部２２Ｂの間の、上記特定の部分Ｆ１に対応する部分Ｆ２が、上記伸長に対応して伸長しやすい構造となっている。このように、伸縮基板２に第１の方向Ｘに伸長力が作用した際に、第１の方向Ｘに直交する第２の方向Ｙで伸長しやすい構造の領域Ｆが対応付けられて設けられているため、伸縮基板２が第１の方向Ｘに伸縮した際の局所的な応力集中を抑制し、伸縮基板２を略均等に伸縮させることが可能となる。
【００４８】
また、単位パッド支持部２２の、伸縮基板２に対向する対向表面２１ｈの、第１の方向Ｘにおける長さＬ１は、表示素子４の、第１の方向Ｘにおける長さＬ２に合致し、対向表面２１ｈが表示素子４の各々に対応して位置するように、単位パッド支持部２２は形成されている。
上記のような構成によれば、伸縮基板２が第１の方向Ｘに伸長した際に、パッド支持部材２１が設けられた領域においては、伸縮基板２に対向した表面が伸縮基板２に接合されるため、この対向表面２１ｈの部分は、第１の方向Ｘに伸長しにくく、したがって、隣接する単位パッド支持部２２の対向表面２１ｈの間に位置する部分が伸長する。ここで、第１の方向Ｘにおける対向表面２１ｈの長さＬ１は、表示素子４の第１の方向Ｘにおける長さＬ２に合致しているため、表示素子４が配列して設けられた領域とパッド支持部材２２が設けられた領域の各々における、伸長しやすい部分Ｆと伸長しにくい部分Ｓとの比率が同等となり、これらが互いに対応付けられて設けられている。したがって、伸縮基板２が第１の方向Ｘに伸縮した際の局所的な応力集中を、より効果的に抑制し、伸縮基板２を略均等に伸縮させることが可能となる。
【００４９】
また、第１の方向Ｘにおいて、複数の表示素子４は等間隔なピッチで整列して設けられ、これに伴い単位パッド支持部２２の対向表面２１ｈも等間隔なピッチで整列して設けられている。
上記のような構成によれば、伸縮基板２が伸縮した際の局所的な応力集中を、より効果的に抑制し、伸縮基板２を略均等に伸縮させることが可能となる。
【００５０】
また、複数の表示素子４の各々は、１以上のサブピクセル１１、１２、１３を備え、１以上のサブピクセル１１、１２、１３の各々に対応する、伸縮性を有する配線５ｂが、複数の表示素子４の各々と、対応する単位パッド支持部２２の間に、第２の方向Ｙに延在して設けられている。
上記のような構成によれば、１以上のサブピクセル１１、１２、１３の各々に対応する、伸縮性を有する配線５ｂが、表示素子４と、これに対応する単位パッド支持部２２の間に、第２の方向Ｙに延在して設けられている。この、配線５ｂが設けられた部分Ｒは、伸縮基板２が第１の方向Ｘに延在した際において伸縮しにくい部分である、第２の方向Ｙにおいて表示素子４とこれに対応する単位パッド支持部２２の間に挟まれた領域Ｓである。このため、配線５ｂには、伸縮基板２の第１の方向Ｘの伸縮により生じる応力が作用されにくく、したがって、伸縮基板２の伸縮による配線５ｂへの影響を低減可能である。
【００５１】
また、伸縮表示装置１は、第２のコネクタ３０を更に備え、複数の表示素子４は、第２の方向Ｙに沿っても間隔をあけて配列されており、第２のコネクタ３０の単位パッド支持部の各々は、第１の方向Ｘにおいて、複数の表示素子４の各々に対応して位置づけられている。
上記のような構成によれば、第１の方向Ｘと第２の方向Ｙから形成される平面内において、伸縮基板２の伸縮に追従可能で、パッド６の精密な位置合わせが可能な、伸縮表示装置１を実現可能である。
【００５２】
なお、本発明の伸縮基板２上に設けられるコネクタ２０、３０、及び伸縮表示装置１は、図面を参照して説明した上述の実施形態に限定されるものではなく、その技術的範囲において他の様々な変形例が考えられる。
【００５３】
例えば、上記実施形態において、パッド支持部材２１は脚部２１ｃを備え、脚部２１ｃが伸縮基板２に埋設されることで、パッド支持部材２１は伸縮基板２に固定されていたが、これに限られない。
例えば、図１０（ａ）に示されるコネクタ４０においては、パッド支持部材４１が脚部を備えておらず、下面４１ｆが、伸縮基板２に対向する対向表面として、伸縮基板２の上面２ａに当接されて接着されている。このような構成においても、コネクタ４０を好適に実現可能である。
また、図１０（ｂ）に示されるコネクタ５０においては、パッド支持部材４１の複数の切り込み４１ｄの切り込みの各々が、伸縮基板２に対向する下面４１ｆ側からパッド支持部材４１の内部に向けて形成され、パッド支持部材４１は、複数の切り込み４１ｄの各々に、伸縮基板２を形成する材料が密に充填されている。このような構成によれば、パッド支持部材４１を伸縮基板２に密着させて、強固に固定可能である。
更に、図１０（ｃ）に示されるコネクタ６０においては、本図及び図１０（ｃ）のＣ−Ｃ部分断面図である図１０（ｄ）に示されるように、パッド支持部材４１と、これに接合される相手側基板２３の端辺２３ａ近傍が、伸縮基板２内に埋設されている。相手側基板２３は、伸縮基板２の端辺２ｂ、２ｃから外部へ引き出されるように設けられている。このようなコネクタ６０は、パッド支持部材４１と相手側基板２３を接合した後に、コネクタ６０全体に伸縮基板２を被覆して埋設するように製造され得る。このような構成によれば、パッド支持部材４１全体を伸縮基板２に密着させて、強固に固定可能である。
【００５４】
また、上記実施形態においては、伸縮基板２の第１端辺２ｂ、第２端辺２ｃの各々に、複数の相手側基板２３が、これら第１端辺２ｂ、第２端辺２ｃの全長にわたって設けられていたが、このような構成に限られない。
例えば、図１１（ａ）に示されるコネクタ７０においては、第１端辺２ｂ、第２端辺２ｃと略同一長の端辺７３ａ、７４ａを備えた相手側基板７３、７４が、第１端辺２ｂ、第２端辺２ｃの各々に設けられている。
また、図１１（ｂ）に示されるコネクタ８０においては、伸縮基板２の第１端辺２ｂ、第２端辺２ｃの一部にパッドが集中している場合であり、これに対応して、相手側基板８３が、伸縮基板２の第１端辺２ｂ、第２端辺２ｃの一部にのみ設けられている。
これら相手側基板７３、７４、８３の各々には、適切に切り込み７３ｄ、７４ｄ、８３ｄが設けられている。
【００５５】
また、上記実施形態においては、パッド支持部材２１の切り込み２１ｄは、パッド支持部材２１の下面２１ｆから、パッド支持部材２１の内部に向けて設けられていたが、これに限られない。例えば図１２（ａ）に示されるコネクタ９０のパッド支持部材９１のように、切り込み９１ｄは、パッド支持部材９１の上面９１ａから下方すなわち伸縮基板２に向けて設けられていてもよい。このような場合においても、図１２（ｂ）に示されるように、相手側基板２３は上記実施形態と同様に、パッド支持部材９１の上面９１ａに接合される。
伸縮基板２に、端辺２ｂの方向の伸長力Ｐが作用した際には、コネクタ９０は、図１２（ｃ）に示されるように、上記実施形態度同様に作用する。すなわち、パッド支持部材９１は切り込み９１ｄにおいて切断されて複数の単位パッド支持部９２に分離するとともに、相手側基板２３の複数の切り込み２３ｄが互いに連続するように裂けて、複数の先端枝部２３ｆが互いに離間する。
【００５６】
また、上記実施形態においては、各単位パッド支持部２２は、表示素子４に対応して設けられ、伸縮基板２の第１端辺２ｂに沿って設けられたパッド支持部材２１の単位パッド支持部２２においては３本の第２配線５ｂが、及び第２端辺２ｃに沿って設けられたパッド支持部材２１の単位パッド支持部２２においては１本の第１配線５ａが、各単位パッド支持部２２に接続されていたが、このような構成に限られない。
例えば、第１端辺２ｂに沿って設けられたパッド支持部材２１の単位パッド支持部２２に接続される第２配線５ｂの数は、表示素子４のサブピクセル数に応じて変更され得る。すなわち、例えば表示素子４が単色を表現する、サブピクセルを１つのみ有する構成である場合には、単位パッド支持部２２に接続される第２配線５ｂの数は１となる。あるいは、例えば表示素子４が赤色、緑色、青色、及び白色の各々に対応して発光するように形成された、４つのサブピクセルを有する構成である場合には、単位パッド支持部２２に接続される第２配線５ｂの数は４となり得る。
【００５７】
また、上記実施形態においては、例えば第１及び第２の方向Ｘ、Ｙに並んだ表示素子４の各行及び各列に対し、単位パッド支持部２２を１対１に対応して設けることで、伸縮基板２の伸縮による配線５ａ、５ｂへの影響を低減していた。
しかし、例えば伸縮基板の角部等のような、伸縮時の伸縮度合いが高くない部分においては、伸縮基板の伸縮による配線への影響は、伸縮時の伸縮度合いが高い中央近傍よりも低いと考えられる。あるいは、伸縮基板の伸縮による配線への影響を低減するよりも、配線を微細化し１つの単位パッド支持部により多くの配線を接続することをより重要視するような設計判断が行われることもある。
例えばこれらのような場合においては、伸縮基板の全面にわたり、あるいは部分的に、複数の表示素子の行または列に１つの単位パッド支持部を対応付け、複数の表示素子に関する配線が、１つの単位パッド支持部に接続されるように構成されてもよい。例えば上記実施形態のような、表示素子４が３つのサブピクセルを有するような場合においては、第１端辺２ｂに沿って設けられたパッド支持部材２１の単位パッド支持部２２に、２つの表示素子４に対応する６本の第２配線５ｂが接合され得る。
【００５８】
また、上記実施形態においては、相手側基板２３に設けられた切り抜き２３ｅの形状は円形であったが、伸長力が作用して相手側基板２３が開裂した際に相手側基板２３の開裂が抑制される形状であれば、楕円形や多角形等の他の形状であっても構わない。
【００５９】
これ以外にも、本発明の主旨を逸脱しない限り、上記実施形態及び各変形例で挙げた構成を取捨選択したり、他の構成に適宜変更したりすることが可能である。
【００６０】
次に、他の第１及び第２の形態について説明する。
（他の第１の形態）
図１３の各図は、本形態におけるコネクタ１００の説明図である。コネクタ１００は、パッド支持部材１０１を備えている。図１３（ａ）に示されるように、パッド支持部材１０１は、長尺の枠体として形成されており、第１の電子回路３が形成された伸縮基板２の端辺２ｂに沿って設けられている。パッド支持部材１０１の枠体の内部には、伸縮基板２と同じ材質の支持部材内伸縮部１０２が設けられている。支持部材内伸縮部１０２は、伸縮基板２と接触し、または一体となるように形成されている。伸縮基板２内に設けられた配線５は、パッド支持部材１０１の内部へと導かれて、支持部材内伸縮部１０２の上面１０２ａに設けられたパッド６に接続されている。
【００６１】
後に説明に用いる図１３（ｃ）に示されるように、パッド支持部材１０１は、複数の単位パッド支持部１０３により形成されている。より詳細には、パッド支持部材１０１は、複数の単位パッド支持部１０３が長さ方向に、単位パッド支持部１０３の端辺である接合部１０１ａにおいて連結されて形成されている。互いに対向する単位パッド支持部１０３の、一方の端部には突部１０３ａが、及び他方の端部には凹部１０３ｂが形成されている。これら突部１０３ａが凹部１０３ｂに挿入されて嵌合することにより、複数の単位パッド支持部１０３は互いに接続されている。
各単位パッド支持部１０３の、伸縮基板２とは反対側、すなわち図１３における上側には、凹部１０１ｂが設けられている。
【００６２】
本形態においては、第１の電子回路３に接続される第２の電子回路側においても、配線１２１が伸縮部材１２０に埋設されて設けられて、伸縮自在な構造となっている。コネクタ１００は、第２の電子回路側に、相手側パッド支持部材１１１を備えている。相手側パッド支持部材１１１は、パッド支持部材１０１と略同等の形状の枠体の一方が図１３（ｂ）に示されるように平板１１１ｃにより塞がれたような、内側に凹部が形成された直方体形状を成している。相手側パッド支持部材１１１の内部には、伸縮基板２と同じ材質の支持部材内伸縮部１１２が設けられている。相手側パッド支持部材１１１は、平板１１１ｃの外側に第２の電子回路が接続されるように設けられている。第２の電子回路の配線１２１は、平板１１１ｃと、及び相手側パッド支持部材１１１内に設けられた支持部材内伸縮部１１２を貫通して、支持部材内伸縮部１１２の平板１１１ｃとは反対側の表面に設けられた相手側パッド１２２に接続されている。
【００６３】
相手側パッド支持部材１１１も、パッド支持部材１０１と同様に、複数の単位パッド支持部１１３により形成されている。より詳細には、相手側パッド支持部材１１１は、複数の単位パッド支持部１１３が長さ方向に、単位パッド支持部１１３の端辺である接合部１１１ａにおいて連結されて形成されている。互いに対向する単位パッド支持部１１３の、一方の端部には突部１１３ａが、及び他方の端部には凹部１１３ｂが形成されている。これら突部１１３ａが凹部１１３ｂに挿入されて嵌合することにより、複数の単位パッド支持部１１３は互いに接続されている。
各単位パッド支持部１１３の、伸縮部材１２０とは反対側、すなわち図１３における下側には、突部１１１ｂが設けられている。
【００６４】
上記のような相手側パッド支持部材１１１は、図１３（ｂ）に示されるように、相手側パッド１２２が対応するパッド６に対向するように位置づけられたうえで、相手側パッド１２２がパッド６に接続され、かつ相手側パッド支持部材１１１の突部１１１ｂがパッド支持部材１０１の凹部１０１ｂに挿入されて嵌合することにより、互いに接続される。相手側パッド１２２とパッド６は、はんだにより接合するのが望ましい。
【００６５】
上記のように構成されたコネクタ１００は、図１３（ｃ）のように伸縮基板２に、コネクタ１００の長さ方向に伸長する力Ｐが作用すると、パッド支持部材１０１及び相手側パッド支持部材１１１の各接合部１０１ａ、１１１ａにおいて、パッド支持部材１０１と相手側パッド支持部材１１１がそれぞれ複数の単位パッド支持部１０３と単位パッド支持部１１３に分離することで、伸縮基板２の変形に追従する。
このとき、パッド支持部材１０１と相手側パッド支持部材１１１の内部に設けられた支持部材内伸縮部１０２、１１２も伸長するが、これら支持部材内伸縮部１０２、１１２は伸長により断面積が小さくなるため表面がパッド支持部材１０１、相手側パッド支持部材１１１の内側表面から離間する。これにより、支持部材内伸縮部１０２、１１２が単位パッド支持部１０３、単位パッド支持部１１３の方向Ｘにおける移動に干渉せず、コネクタ１００が効果的に伸縮基板２の変形に追従可能である。
【００６６】
このように、本形態のコネクタ１００は、伸縮性を有する伸縮基板２上に実現された第１の電子回路３を、伸縮基板２の外部に設けられた第２の電子回路に接続するために、伸縮基板２上に設けられるものであって、第１の電子回路３の配線５に接続される複数のパッド６が設けられた、パッド支持部材１０１を備え、パッド支持部材１０１は複数の単位パッド支持部１０３を備え、複数の単位パッド支持部１０３が第１の方向Ｘに、互いに離接自在に設けられて形成されている。
上記のような構成によれば、伸縮基板２の伸縮に追従可能で、パッド６の精密な位置合わせが可能な、伸縮基板２上に設けられるコネクタ１００を実現可能である。
【００６７】
（他の第２の形態）
図１４の各図は、本形態におけるコネクタ２００及びその製造方法の説明図である。図１４（ｃ）の下側に示されるように、コネクタ２００は、伸縮基板２と同じ材質の第１伸縮部２０４と第２伸縮部２１４を備えている。第１伸縮部２０４と第２伸縮部２１４は、長尺の直方体状に形成されている。第１伸縮部２０４は、伸縮基板２の第１端辺２ｂに沿って、伸縮基板２と接触し、または一体となるように形成されている。伸縮基板２内に設けられた配線５は、第１伸縮部２０４を貫通して、図１４（ａ）に示される第１伸縮部２０４の上面２０４ａに設けられたパッド６に接続されている。
【００６８】
パッド６には、はんだ等により第２の電子回路を構成する相手側パッド２２２が接合されている。相手側パッド２２２には、第２の電子回路を構成する配線２２１が接続されている。第２伸縮部２１４は、これら第２の電子回路の相手側パッド２２２と、配線２２１の相手側パッド２２２近傍を覆うように、第１伸縮部２０４の上面２０４ａに接触して設けられている。配線２２１は、厚さ方向Ｚに第２伸縮部２１４を貫通し、第２伸縮部２１４の上面２１４ａから突出するように設けられている。配線２２１の第２伸縮部２１４から突出した部分は、伸縮基板２と同じ材質の伸縮部材２２０内に埋設されている。
【００６９】
上記のような伸縮部材２２０は、次のように製造される。
まず、図１４（ａ）の下側に示されるように、第１の電子回路３が実現された伸縮基板２の端辺２ｂに沿って、枠状の第１枠体２０１を設け、適切な位置にパッド６及びこれに接続される配線５を位置づけたうえで、第１枠体２０１内に第１伸縮部２０４を形成する。第１枠体２０１は、内側の形状が、第１伸縮部２０４の外形形状と略一致するように形成されている。第１枠体２０１は、伸縮基板２を構成する平面内で端辺２ｂに直交する方向Ｙに延在する側面において、伸縮基板２の厚さ方向Ｚに延在する線２０１ｂを境界として、方向Ｙに互いに離間して第１部材２０２と第２部材２０３に分割可能となるように構成されている。
【００７０】
次に、図１４（ａ）の上側に示されるように、接続対象となる第２の電子回路側の配線２２１を伸縮部材２２０に埋設させ、その先端のみを伸縮部材２２０から突出させて相手側パッド２２２を接続する。そして、配線２２１の先端近傍と相手側パッド２２２を囲うように第２枠体２１１を設け、第２枠体２１１内に第２伸縮部２１４を形成する。第２枠体２１１は、内側の形状が、第２伸縮部２１４の外形形状と略一致するように形成されている。第２枠体２１１は、第１枠体２０１に対応する形状に形成されており、第１枠体２０１の線２０１ｂと対応する部分２１１ｂにおいて、伸縮部材２２０を挟んで互いに反対側に離間して第１部材２１２と第２部材２１３に分割可能となるように構成されている。
【００７１】
そして、相手側パッド２２２が対応するパッド６に対向するように位置づけられたうえで、図１４（ｂ）に示されるように、相手側パッド２２２がパッド６に接続される。相手側パッド２２２とパッド６は、はんだにより接合するのが望ましい。
相手側パッド２２２とパッド６の接続が終わると、図１４（ｃ）に示されるように、第１枠体２０１と第２枠体２１１の各々が、第１部材２０２と第２部材２０３、及び第１部材２１２と第２部材２１３に分割されて、第１伸縮部２０４、第２伸縮部２１４の各々から外される。
【００７２】
このように、本形態の電子部品の製造方法は、伸縮性を有する伸縮基板２上に実現された第１の電子回路３が、伸縮基板２上に設けられるコネクタ２００を介して、伸縮基板２の外部に設けられた第２の電子回路に接続された、伸縮性を有する電子部品の製造方法であって、第１の電子回路３の配線５に接続される複数のパッド６の周囲を第１枠体２０１で囲い、第１枠体２０１の内側に伸縮性を有する部材を充填し、第２の電子回路の配線２２１に接続される複数の相手側パッド２２２の周囲を第２枠体２１１で囲い、第２枠体２１１の内側に伸縮性を有する部材を充填し、複数のパッド６の各々に、対応する複数の相手側パッド２２２を接続し、第１枠体２０１と第２枠体２１１を外すことを含む。
上記のような構成によれば、伸縮基板２の伸縮に追従可能な、伸縮基板２上に設けられるコネクタ２００を備えた電子部品を、パッド６の位置合わせを精密に行いながら製造可能である。
【符号の説明】
【００７３】
１  伸縮表示装置
２  伸縮基板
２ｂ  第１端辺（端辺）
２ｃ  第２端辺（端辺）
３  第１の電子回路
４  表示素子
５  配線
５ａ  第１配線（配線）
５ｂ  第２配線（配線）
６  パッド
１１  第１サブピクセル
１２  第２サブピクセル
１３  第３サブピクセル
２０、３０、４０、５０、６０、７０、８０、９０  コネクタ
２１、４１、９１  パッド支持部材
２１ｂ  本体
２１ｃ  脚部
２１ｄ、４１ｄ、９１ｄ  切り込み
２１ｈ  下面（対向表面）
４１ｆ  下面（対向する表面）
２２、９２  単位パッド支持部
２３、７３、７４、８３  相手側基板
２３ａ、７３ａ、７４ａ  端辺
２３ｄ、７３ｄ、７４ｄ、８３ｄ  切り込み
２３ｅ  切り抜き
Ｇ  間隔
Ｉ  内部に向けた方向
Ｘ  第１の方向
Ｙ  第２の方向
【要約】
【課題】伸縮基板の伸縮に追従可能で、パッドの精密な位置合わせが可能な、伸縮基板上に設けられるコネクタ、及び伸縮表示装置を提供する。
【解決手段】伸縮性を有する伸縮基板２上に実現された第１の電子回路３を、前記伸縮基板２の外部に設けられた第２の電子回路に接続するために、前記伸縮基板２上に設けられるコネクタ２０であって、前記第１の電子回路３の配線５ｂに接続される複数のパッド６が設けられた、パッド支持部材２１を備え、当該パッド支持部材２１は、第１の方向Ｘに間隔をおいて複数の切り込み２１ｄを備え、複数の単位パッド支持部２２が前記複数の切り込み２１ｄの各々を境に連接するように構成されている、伸縮基板２上に設けられるコネクタ２０を提供する。
【選択図】図５【図１】
0006768121.tif 000002
【図２】
0006768121.tif 000003
【図３】
0006768121.tif 000004
【図４】
0006768121.tif 000005
【図５】
0006768121.tif 000006
【図６】
0006768121.tif 000007
【図７】
0006768121.tif 000008
【図８】
0006768121.tif 000009
【図９】
0006768121.tif 000010
【図１０】
0006768121.tif 000011
【図１１】
0006768121.tif 000012
【図１２】
0006768121.tif 000013
【図１３】
0006768121.tif 000014
【図１４】
0006768121.tif 000015